(57)【要約】【課題】  本発明は、所望のコンテンツにおける任意の再生位置までユーザに煩雑な操作を強いることなく飛び越して再生を再開できるようにする。【解決手段】  本発明は、再生専用のＣＤ２に格納されている最終トラックの楽曲を再生し、当該楽曲の終了時点及び隠しトラックの開始直前時点をジャンプ開始点及び再生再開点としてアドレスプログラムデータを生成し、これをフラッシュメモリ１５に記憶し、当該アドレスプログラムデータに従って再生経過時刻とジャンプ開始点とが一致したことを判別したとき再生先を再生再開点までジャンプさせて再生することにより、ユーザに煩雑な操作を強いることなく所望の楽曲再生位置まで自動的に飛び越させて再生処理を再開することができる。【選択図】        図２
2006012279.tif 000002
【特許請求の範囲】
【請求項１】
ディスク状記録媒体に格納されているコンテンツを再生する再生手段と、
上記コンテンツの再生中に決定された任意のジャンプ開始点及び再生再開点を登録してメモリに記憶する登録手段と、
上記ディスク状記録媒体の再生中に、上記コンテンツが上記ジャンプ開始点に到達したことを判別したとき上記再生手段による再生先を上記再生再開点まで飛び越して再生させる制御手段と
を具えることを特徴とするディスク再生装置。
【請求項２】
上記登録手段は、１トラック中に存在する第１コンテンツと第２コンテンツとの間の無音部分を上記ジャンプ開始点及び上記再生再開点として登録する
ことを特徴とする請求項１に記載のディスク再生装置。
【請求項３】
上記登録手段は、１トラック中に存在する複数コンテンツのうちユーザが視聴希望する任意のコンテンツに対する視聴希望部分を上記ジャンプ開始点及び上記再生再開点として登録する
ことを特徴とする請求項１に記載のディスク再生装置。
【請求項４】
上記登録手段は、複数の上記ディスク状記録媒体ごとに上記ジャンプ開始点及び上記再生再開点を登録して上記メモリに記憶する
ことを特徴とする請求項１に記載のディスク装置。
【請求項５】
ディスク状記録媒体に格納されているコンテンツを再生する再生ステップと、
上記コンテンツの再生中に決定された任意のジャンプ開始点及び再生再開点を登録してメモリに記憶する登録ステップと、
上記ディスク状記録媒体の再生中に、上記コンテンツが上記ジャンプ開始点に到達したことを判別したとき上記再生手段による再生先を上記再生再開点まで飛び越して再生させる制御ステップと
を具えることを特徴とするディスク再生方法。
【請求項６】
ディスク再生装置に対して、
ディスク状記録媒体に格納されているコンテンツを再生する再生ステップと、
上記コンテンツの再生中に決定された任意のジャンプ開始点及び再生再開点を登録してメモリに記憶する登録ステップと、
上記ディスク状記録媒体の再生中に、上記コンテンツが上記ジャンプ開始点に到達したことを判別したとき上記再生手段による再生先を上記再生再開点まで飛び越して再生させる制御ステップと
を実行させるためのディスク再生制御プログラム。
【発明の詳細な説明】
【技術分野】
【０００１】
本発明は、ディスク再生装置に関し、例えばＣＤＤＡ(Compact Disc Digital Audio)等の音楽用ＣＤに格納されているコンテンツ（楽曲）を任意の位置から再生する場合に適用して好適なものである。
【背景技術】
【０００２】
従来、音楽用ＣＤ等のディスク状記録媒体を再生するディスク再生装置においては、当該ＣＤを再生する際、最初にディスク最内周側領域に設けられたＴＯＣ(Table of Content)データを読み出すことにより当該ＣＤのトラック数を予め認識し、ユーザによって指定されたトラック番号の楽曲を再生することができる。
【０００３】
またディスク再生装置では、ユーザの操作によって指定された任意のトラックへ再生位置をジャンプすることが可能であり、その際任意のトラックにおける先頭部分から必ず再生するようになされている。
【０００４】
さらにディスク再生装置は、図７に示すように、ある任意の１トラックの楽曲を再生中に、ユーザによって指定されたジャンプ開始点（Ａ点）及び再生再開点（Ｂ点）を設定することにより、楽曲再生中にジャンプ開始点（Ａ点＝「Ｆｒｏｍ」）に到達すると再生再開点（Ｂ点＝「ｔｏ」）に戻り、以降これを繰り返すことにより当該楽曲のうちユーザ希望部分だけを繰り返し再生し得るようになされている。
【０００５】
このようなディスク再生装置としては、ジャンプ元アドレス及びジャンプ先アドレスに基づいて無発音区間をジャンプして再生するものがある（例えば、特許文献１参照）。
【特許文献１】特開2003-280663公報
【発明の開示】
【発明が解決しようとする課題】
【０００６】
ところで市場に存在するＣＤの中には、いわゆるボーナストラックと呼ばれる楽曲が収録されていることがある。このボーナストラックとは、隠しトラックと呼称することもあり、ＣＤジャケットには何ら記載されていないものや、普通にＣＤを再生しているだけではユーザがその存在すら気付けないものもある。
【０００７】
例えば、最終トラックを再生していると、当該最終トラックにおける楽曲の再生を終了した後に数分間の無音部分を挟んで隠しトラック（楽曲）が収録されていることがあり、その隠しトラックが再生されて初めてその存在に気付くことになる。
【０００８】
このような隠しトラックは、ＣＤの最終トラックの中に含まれているものであり、トラック番号としてＴＯＣデータとして書き込まれているわけでもないため、ディスク再生装置ではユーザから隠しトラックのトラック番号の指定を受け付けて再生することはできない。
【０００９】
従ってディスク再生装置は、最終トラックの中に含まれている隠しトラックのトラック番号の指定を受け付けることができないうえに特別な操作なしには無音部分を早送りすることもできないため、当該無音部分についての再生経過後に隠しトラックの再生が始まるまで待たなければならなかったり、隠しトラックの先頭位置に到達するまで早送りする等の煩雑な操作をユーザに強いるという問題があった。
【００１０】
本発明は以上の点を考慮してなされたもので、所望のコンテンツにおける任意の再生位置までユーザに煩雑な操作を強いることなく飛び越して再生を再開し得るディスク再生装置を提案しようとするものである。
【課題を解決するための手段】
【００１１】
かかる課題を解決するため本発明のディスク再生装置においては、ディスク状記録媒体に格納されているコンテンツを再生する再生手段と、コンテンツの再生中に決定された任意のジャンプ開始時点及び再生再開時点を登録してメモリに記憶する登録手段と、ディスク状記録媒体の再生中に、コンテンツがジャンプ開始時点に到達したことを判別したとき再生手段による再生先を再生再開時点まで飛び越して再生させる制御手段とを設けるようにする。
【００１２】
また本発明のディスク再生方法においては、ディスク状記録媒体に格納されているコンテンツを再生する再生ステップと、コンテンツの再生中に決定された任意のジャンプ開始点及び再生再開点を登録してメモリに記憶する登録ステップと、ディスク状記録媒体の再生中に、コンテンツがジャンプ開始点に到達したことを判別したとき再生手段による再生先を再生再開点まで飛び越して再生させる制御ステップとを設けるようにする。
【００１３】
さらに本発明のディスク再生制御プログラムにおいては、ディスク再生装置に対して、ディスク状記録媒体に格納されているコンテンツを再生する再生ステップと、コンテンツの再生中に決定された任意のジャンプ開始点及び再生再開点を登録してメモリに記憶する登録ステップと、ディスク状記録媒体の再生中に、コンテンツがジャンプ開始点に到達したことを判別したとき再生手段による再生先を再生再開点まで飛び越して再生させる制御ステップとを実行させるようにする。
【００１４】
これによりディスク再生装置、ディスク再生方法及びディスク再生制御プログラムでは、ディスク状記録媒体に対して任意のジャンプ開始時点及び再生再開時点を設定してメモリに登録しておけば、再生専用のディスク状記録媒体には何ら加工を施すことなく、そのジャンプ開始時点及び再生再開時点に従って再生先をジャンプ開始時点から再生再開時点まで瞬時に飛び越して再生を再開することができる。
【発明の効果】
【００１５】
本発明によれば、ディスク状記録媒体に対して任意のジャンプ開始時点及び再生再開時点を設定してメモリに登録しておけば、再生専用のディスク状記録媒体には何ら加工を施すことなく、そのジャンプ開始時点及び再生再開時点に従って再生先をジャンプ開始時点から再生再開時点まで瞬時に飛び越して再生を再開することができ、かくして隠しトラックの再生位置まで煩雑な操作を強いることなくジャンプして再生を再開し得るディスク再生装置、ディスク再生方法及びディスク再生制御プログラムを実現できる。
【発明を実施するための最良の形態】
【００１６】
以下、図面について、本発明の一実施の形態を詳述する。
【００１７】
（１）ＣＤ再生装置の構成
図１において、１は全体として本発明のディスク再生装置としてのＣＤ再生装置を示し、ＣＰＵ(Central Processing Unit)１６が再生部３やメモリコントロール回路１３を含めて全体を統括制御するようになされており、ＲＯＭ（図示せず）に格納された基本プログラムに従って行う通常のＣＤ再生処理の他、アプリケーションプログラムであるディスク再生制御プログラムに従って行うアドレスプログラムモードのアドレスプログラム再生処理（後述する）等を実行し得るようになされている。なおＣＰＵ１６は電源回路２２からの電力を各回路に供給して動作させる。
【００１８】
再生部３は、再生専用のＣＤ２を回転させるためのスピンドルモータ４、当該ＣＤ２の記録面にレーザ光を照射しその反射光を受光することにより再生データを得る光学ピックアップ５、当該光学ピックアップ５をトラッキング方向やフォーカス方向に駆動制御するための二軸デバイス６及びスレッドモータ７によって構成されている。
【００１９】
ＲＦ(Radio Frequency)アンプ８は、再生部３の光学ピックアップ５から供給された再生データをサーボ回路９及びドライバ１０を介してＤＳＰ(Digital Signal Processor)１２へ送出すると共に、当該再生データをデータ抽出及びＰＬＬ(Phase Locked Loop)回路１１へ送出する。
【００２０】
データ抽出及びＰＬＬ回路１１は、クロックを抽出したり、再生データの中から制御信号等を除くコンテンツデータのみを抽出し、これをＤＳＰ１２へ送出する。
【００２１】
ＤＳＰ１２は、ドライバ１０から供給される情報に基づきスピンドルゲインＵＰ回路１３を介してスピンドルモータ４のゲインを調整するための制御信号を生成し、これをドライバ１０を介して再生部３へフィードバックする。
【００２２】
ＣＰＵ１６は、ＤＳＰ１２からの情報に基づきドライバ１０を介して光学ピックアップ５、二軸デバイス６及びスレッドモータ７を制御することにより、再生部３におけるトラッキング制御及びフォーカス制御を行うようになされている。
【００２３】
またＤＳＰ１２は、コンテンツデータに対して復調処理及びエラー訂正処理等の各種信号処理を行うことにより元の楽曲データを復元し、これをメモリコントロール回路１３を介してＤＲＡＭ(Dynamic Random Access Memory)１４に一旦記憶して所定量蓄積した後に再度読み出しながらディジタルアナログコンバータ１７へ送出する。
【００２４】
ところでメモリコントロール回路１３には、不揮発性メモリでなるフラッシュメモリ１５が接続されており、ＣＤ再生装置１自体が電源オフ状態になったときに保存しておくべき情報（例えば後述するアドレスプログラムデータ）を当該フラッシュメモリ１５に記憶し得るようになされている。
【００２５】
ディジタルアナログコンバータ１７は、楽曲データをアナログ信号に変換した後、これを楽曲信号としてミュート回路１８、ボリューム回路１９及びヘッドフォンアンプ２０を介して出力するようになされている。なおＣＰＵ１６は、ＬＣＤ(Liquid Crystal Diplay)２１に対してトラック番号、再生経過時間、楽曲タイトル等の各種情報を表示するようになされている。
【００２６】
ここでディジタルアナログコンバータ１７は、ディジタルアナログ変換処理だけではなく、楽曲データの波形を基に楽曲と楽曲との間の無音部分を検出するようになされており、当該無音部分を検出したときにはその旨をＣＰＵ１６へ知らせるようになされている。
【００２７】
ＣＰＵ１６は、キー操作部２３を介して与えられる再生命令、早送り命令、早戻し命令、トラック番号の指定等の各種命令を受け取り、当該各種命令に応じてＣＤ２の通常再生処理や、指定されたトラック番号のみを再生するプログラム再生処理等を実行し得るようになされている。
【００２８】
（２）アドレスプログラム再生処理
（２−１）アドレスプログラム再生処理の内容
ＣＤ再生装置１のＣＰＵ１６は、基本プログラムに従って行う通常のＣＤ再生処理に加えて、ディスク再生制御プログラムに従って行うアドレスプログラムモードのアドレスプログラム再生処理を実行し得るようになされている。
【００２９】
ここでアドレスプログラム再生処理の内容について説明する前に、当該ＣＤ再生装置１がアドレスプログラム再生処理を行う対象とするＣＤ２について触れておく。通常の音楽用ＣＤにあっては、トラック数と楽曲数とが一致していることが一般的であるところ、中には最終トラックに最後の楽曲が収録されているだけでなく、それ以外にも複数の楽曲が隠しトラックとして収録されていることがある。
【００３０】
ところで、最終トラックに複数の楽曲が隠しトラックとして収録されていても、各楽曲が僅かな時間間隔で収録されている場合には特に問題はないものの、楽曲と楽曲との間に数分間にも及ぶような無音部分が存在するときには、いわゆる隠しトラックにユーザが気付けないばかりでなく、仮に気付いたとしても無音部分の経過を待たなければならなかったり、隠しトラックの先頭位置に到達するまで早送りする等の煩雑な操作が必要になる。
【００３１】
アドレスプログラム再生処理では、このような１トラック中に存在する本来の楽曲と隠しトラックとの間における無音部分をジャンプさせ、当該隠しトラックを瞬時に再生できるようにしたものである。
【００３２】
具体的には、図２に示すように例えば最終トラック（１トラック中）に１曲目となる楽曲の後に数分間もの無音部分を挟んで２曲目となる隠しトラック（楽曲）が存在している場合、１曲目の楽曲の終了時点をジャンプ開始点とし、２曲目の隠しトラックの開始直前時点を再生再開点としてフラッシュメモリ１５に登録しておくようにする。
【００３３】
実際上、ＣＤ再生装置１のＣＰＵ１６は、ディジタルアナログコンバータ１７からの無音部分である旨の通知に基づいて１曲目の楽曲の終了時点の再生経過時刻をジャンプ開始点として登録する。
【００３４】
またＣＤ再生装置１のＣＰＵ１６は、最終トラックを再生しながら所定時刻間隔で無音部分をサーチし続けた後、無音部分ではなく２曲目の隠しトラックにおける楽曲部分を検出したときは、１時点前にサーチしたときの再生経過時刻を再生再開点として登録する。
【００３５】
これによりＣＰＵ１６は、２曲目の隠しトラックに対する再生処理を開始する直前の時点を再生再開点として登録することができるので、最終トラックにおける１曲目の楽曲から隠しトラックにジャンプしたときに当該隠しトラックの楽曲に対する再生処理が途中から開始してしまうようなことを未然に防止し得るようになされている。
【００３６】
なおＣＰＵ１６は、無音部分をサーチする際の時刻間隔を例えば５秒に設定することにより、通常の楽曲と楽曲との間に設けられる２秒間の無音部分と、それ以外の通常の楽曲と隠しトラックとの間の無音部分とを確実に判別し得ると共に、再生再開点から隠しトラックを再生するまでの待ち時刻を最大５秒間以下にして極端に長くなり過ぎないようにしている。
【００３７】
（２−２）アドレスプログラムモードにおけるジャンプ開始点及び再生再開点の登録処理手順
続いて、ＣＤ再生装置１においてアドレスプログラムモードにおけるジャンプ開始点及び再生再開点の登録処理手順について図３のフローチャートを用いて具体的に説明する。
【００３８】
実際上、ＣＤ再生装置１のＣＰＵ１６は、ルーチンＲＴ１の開始ステップから入ってステップＳＰ１へ移り、ＣＤ２に収録されている最終トラックの楽曲に対する再生処理を開始した後、次のステップＳＰ２へ移る。
【００３９】
ステップＳＰ２においてＣＰＵ１６は、最終トラックにおける楽曲に対する再生処理が終了したか否かを判定し、否定結果が得られるとステップＳＰ１に戻って当該再生処理を継続し、肯定結果が得られると次のステップＳＰ３へ移る。
【００４０】
ステップＳＰ３においてＣＰＵ１６は、最終トラックにおける楽曲の再生処理が終了したことを認識したので、その時点の再生経過時刻をジャンプ開始点として当該ＣＰＵ２内のメモリに一時的に記憶し、次のステップＳＰ４へ移る。
【００４１】
ステップＳＰ４においてＣＰＵ１６は、ステップＳＰ３において最終トラックにおける楽曲の再生処理が終了してジャンプ開始点を登録したので、その後も再生処理を継続しながら所定時間間隔（５秒間）毎に無音部分のサーチを開始し、次のステップＳＰ５へ移る。
【００４２】
ステップＳＰ５においてＣＰＵ１６は、最終トラックの同一トラック内でＴＯＣ（Table of Content）データには現れない隠しトラックの楽曲を検出したか否かを無音部分のサーチ結果に基づいて判定し、所定時間以上（例えば２０分間）にわたっても隠しトラックの楽曲を検出できなかったときは否定結果が得られ、当該隠しトラックは存在しないと判断し、次のステップＳＰ８へ移って処理を終了する。
【００４３】
これに対してステップＳＰ５で肯定結果が得られると、このことは隠しトラックが当該最終トラックの楽曲が終了した所定時間経過後に存在していることを確認したので、次のステップＳＰ６へ移る。
【００４４】
ステップＳＰ６においてＣＰＵ１６は、隠しトラックを検出した時点というのは当該隠しトラックの再生が既に始まっている時点であるため、サーチの１時点前における再生経過時刻を再生再開点として当該ＣＰＵ２内のメモリに一時的に登録し、次のステップＳＰ７へ移る。
【００４５】
ステップＳＰ７においてＣＰＵ１６は、当該ＣＰＵ１６内のメモリに一時的に登録したジャンプ開始点及び再生再開点をアドレスプログラムデータとして生成し、これをＣＤ２毎に対応させた状態でフラッシュメモリ１５に保存し、次のステップＳＰ８へ移ってジャンプ開始点及び再生再開点の登録処理手順を終了する。
【００４６】
このようにＣＰＵ１６は、アドレスプログラムデータの登録をＣＤ毎に行うことにより、ＣＤ再生時に、当該ＣＤ毎に対応したアドレスプログラムデータを読み出せば、煩わしい操作をユーザに一切させることなく最終トラックにおける１曲目の楽曲から隠しトラックまでの間に存在する無音部分をジャンプして直ちに再生し得るようになされている。
【００４７】
具体的には、例えば最終トラックにおける楽曲の再生終了時点の再生経過時刻をジャンプ開始点とし、隠しトラックのサーチ１時点前を再生再開点として最終トラックに対応付けられたアドレスプログラムデータ「(From)05:17:50(To)12:33:50」がフラッシュメモリ１５に登録される。
【００４８】
（２−３）アドレスプログラムモードにおけるアドレスプログラム再生処理手順
次に、ＣＤ再生装置１においてアドレスプログラムモードにおけるアドレスプログラム再生処理手順について図５のフローチャートを用いて具体的に説明する。
【００４９】
実際上、ＣＤ再生装置１のＣＰＵ１６は、ルーチンＲＴ２の開始ステップから入ってステップＳＰ１１へ移り、キー操作部２３に対するユーザの押下操作により通常の再生モードからアドレスプログラムモードに変更されたか否かを判定し、否定結果が得られると次のステップＳＰ１７へ移り、通常の再生処理を行った後にステップＳＰ１８へ移って処理を終了する。
【００５０】
これに対してステップＳＰ１１で肯定結果が得られると、このことは通常の再生モードからアドレスプログラムモードに変更されたことを表しており、このときＣＰＵ１６はディスク再生制御プログラムを起動して立ち上げてアドレスプログラム再生処理の準備すなわち当該ＣＤ２に対応付けられたアドレスプログラムデータをフラッシュメモリ１５から読み出し、次のステップＳＰ１２へ移る。
【００５１】
ステップＳＰ１２においてＣＰＵ１６は、再生対象のトラックが予めアドレスプログラムデータとして登録された該当トラック（すなわち、この実施の形態では最終トラック）であるか否かを判定し、否定結果が得られると次のステップＳＰ１７へ移って通常の再生処理を行った後にステップＳＰ１８へ移り処理を終了する。
【００５２】
これに対してステップＳＰ１２で肯定結果が得られると、ＣＰＵ１６は次のステップＳＰ１３へ移り、ＣＤ２の再生データから再生経過時刻を取得し、次のステップＳＰ１４へ移る。
【００５３】
ステップＳＰ１４においてＣＰＵ１６は、アドレスプログラムデータにおけるジャンプ開始点（(From)05:17:50）として登録された再生経過時刻と当該ＣＤ２の再生経過時刻とが一致したか否かを判定し、否定結果が得られると再度ステップＳＰ１４に戻って一致するまで待ち受け、一致したときには肯定結果を得て次のステップＳＰ１５へ移る。
【００５４】
ステップＳＰ１５においてＣＰＵ１６は、再生部３の光学ピックアップ５をジャンプ開始点から再生再開点（(To)12:33:50）までジャンプさせて再生処理を再開させるための準備を行い、次のステップＳＰ１６へ移る。
【００５５】
ステップＳＰ１６においてＣＰＵ１６は、実際に再生再開点まで光学ピックアップ５をジャンプ開始点から再生再開点まで飛び越させて再生処理を再開し、次のステップＳＰ１７へ移ってその後の通常再生処理を行った後にステップＳＰ１８で処理を終了する。
【００５６】
（３）動作及び効果
以上の構成において、ＣＤ再生装置１のＣＰＵ１６は、最終トラックに収録されている１曲目の楽曲以外の隠しトラックが存在する場合、当該１曲目の楽曲の終了時点をジャンプ開始点として検出し、隠しトラックの開始直前時点を再生再開点として検出した後、当該ジャンプ開始点及び再生再開点をＣＤ２毎のアドレスプログラムデータとして生成しフラッシュメモリ１５に記憶する。
【００５７】
これによりＣＤ再生装置１のＣＰＵ１６は、当該ＣＤ２の再生時にアドレスプログラムモードが選択された場合、予めフラッシュメモリ１５に記憶したアドレスプログラムデータを読み出し、当該アドレスプログラムデータで指定された該当トラックを再生中に再生経過時刻とジャンプ開始点の再生経過時刻とが一致すると、光学ピックアップ５による再生先をジャンプ開始点から再生再開点まで飛び越させて再生処理を再開することができる。
【００５８】
従ってＣＤ再生装置１のＣＰＵ１６は、最終トラックの楽曲から長い無音部分の経過後に隠しトラックが収録されている場合であっても、アドレスプログラムデータに従って最終トラックの楽曲の終了時点から隠しトラックの開始直前時点までの無音部分を飛び越して再生出力することができるので、最終コンテンツの楽曲終了時点から隠しトラックの再生開始点までの待ち時間を短縮することができる。
【００５９】
またＣＤ再生装置１のＣＰＵ１６は、予め楽曲の収録された再生専用のＣＤ２毎にアドレスプログラムデータを生成してフラッシュメモリ１５に記憶しておくことにより、一度アドレスプログラムデータを生成して記憶しておきさえすれば、再度そのＣＤ２をアドレスプログラムモードで再生する際に、ユーザに対して何ら煩わしい操作を強いることなく通常収録されている楽曲から隠しトラックまでを連続して再生し出力することができる。
【００６０】
以上の構成によれば、ＣＤ再生装置１のＣＰＵ１６は、最終トラックにおける楽曲の終了時点及び隠しトラックの開始直前時点を自動的に検出し、その終了時点及び開始直前時点をジャンプ開始点及び再生再開点としてアドレスプログラムデータを生成してフラッシュメモリ１５に記憶する。
【００６１】
これによりＣＤ再生装置１のＣＰＵ１６は、ＣＤ２の再生時に、当該ＣＤ２のＴＯＣデータに従って再生処理するのではなく、当該アドレスプログラムデータに従って１曲目の楽曲の終了時点から隠しトラックの開始直前時点までの無音部分を飛び越すことができるので、最終トラックの楽曲から無音部分の経過をユーザに待たせることなく隠しトラックの楽曲を再生して出力することができる。
【００６２】
（４）他の実施の形態
なお上述の実施の形態においては、ＣＰＵ１６が最終トラックの楽曲が終了時点をジャンプ開始点として検出し、次の隠しトラックの楽曲が始まる直前の時点を再生再開点として検出し、当該ジャンプ開始点及び再生再開点を自動的にアドレスプログラムデータとして生成し、フラッシュメモリ１５に記憶するようにした場合について述べたが、本発明はこれに限らず、ユーザの手動により決定したジャンプ開始点及び再生再開点をアドレスプログラムデータとして生成し、フラッシュメモリ１５に記憶するようにしても良い。
【００６３】
例えば図６に示すように、ＣＰＵ１６は任意トラックの再生中に任意のタイミングでユーザがキー操作部２３を押下操作した時点の再生経過時刻をジャンプ開始点とし、その後任意の時間経過後に再度ユーザがキー操作部２３を押下操作した時点の再生経過時刻を再生再開点としてアドレスプログラムデータを生成することにより、無音部分に限らず、１曲の楽曲中の聴取を希望しない不要部分を飛び越して再生することができる。
【００６４】
なおＣＰＵ１６は、再生中におけるユーザのキー操作部２３に対する押下操作に応じて再生再開点及びジャンプ開始点の順番でアドレスプログラムデータを生成することにより、１曲のコンテンツ中における希望聴取部分を繰り返し再生することもできる。
【００６５】
このようにＣＰＵ１６は、ユーザ所望のタイミングで決定されたジャンプ開始点及び再生再開点をアドレスプログラムデータとして生成することができるので、ＣＤ２に収録されている楽曲の順番通りではなく、ユーザが楽曲中の希望する部分だけを選び当該ユーザの希望する任意の流れで再生結果を出力したり、楽曲中の希望しない部分を省略して再生結果を出力することもできる。
【００６６】
また上述の実施の形態においては、アドレスプログラムデータの内容として１つのジャンプ開始点及び再生再開点を設定するようにした場合について述べたが、本発明はこれに限らず、複数のジャンプ開始点及び再生再開点を設定してアドレスプログラムデータを生成するようにしても良い。この場合、ＣＰＵ１６はアドレスプログラムデータに従って楽曲再生中に次々とジャンプを繰り返すことにより、ユーザが希望する順序でユーザが希望する楽曲部分だけを再生することができる。
【００６７】
さらに上述の実施の形態においては、ＣＤ２の最終トラックをジャンプ開始点及び再生再開点の登録対象とするようにした場合について述べたが、本発明はこれに限らず、ディスク最内周側に存在するＴＯＣと第１トラックとの間に存在する隠しトラックをジャンプ開始点及び再生再開点の登録対象とするようにしても良い。
【００６８】
さらに上述の実施の形態においては、再生専用のＣＤ２に対してアドレスプログラムデータを生成してフラッシュメモリ１５に記憶するようにした場合について述べたが、本発明はこれに限らず、書込可能なＣＤ−Ｒ(Compact Disc-Rewritable)に対して複数トラックの楽曲を記録する際に、図６に示すような第２０トラックに対してジャンプ開始点及び再生再開点の設定されたアドレスプログラムファイル(Addressprogram1)を複数トラックの楽曲と共にデータ領域に記録するようにしても良い。
【００６９】
この場合、ＣＤ再生装置１のＣＰＵ１６は、当該ＣＤ−Ｒを再生する際にアドレスプログラムファイルを参照すればジャンプ開始点から再生再開点まで飛び越して再生することができる。
【００７０】
さらに上述の実施の形態においては、コンテンツとして楽曲を対象とするようにした場合について述べたが、本発明はこれに限らず、ビデオを対象とするようにしても良い。
【００７１】
さらに上述の実施の形態においては、ＣＰＵ２がＲＯＭに予め格納されたディスク再生制御プログラムに従って上述のアドレスプログラム再生処理を実行するようにした場合について述べたが、本発明はこれに限らず、ディスク再生制御プログラムが格納されたプログラム格納媒体をＣＤ再生装置１にインストールすることによりアドレスプログラム再生処理を実行するようにしても良い。
【００７２】
さらに上述の実施の形態においては、本発明のディスク再生装置をＣＤ再生装置１に適用するようにした場合について述べたが、本発明はこれに限らず、記録が既に行われたＣＤ−Ｒ(Compact Disc-Recordable)やＤＶＤ−Ｒ(Digital Versatile Disc-Recordable)、ＤＶＤ−ＲＯＭ及びＤＶＤ−ＶＩＤＥＯ等の再生専用のディスク状記録媒体を再生するものであれば、その他の種々のディスク再生装置に適用するようにしても良い。
【００７３】
さらに上述の実施の形態においては、本発明のディスク再生装置を、再生手段としての再生部３、登録手段としてのＣＰＵ１６及びメモリコントロール回路１３、制御手段としてのＣＰＵ１６によって構成するようにした場合について述べたが、本発明はこれに限らず、その他種々の回路構成でディスク再生装置を構成するようにしても良い。
【産業上の利用可能性】
【００７４】
本発明のディスク再生装置は、例えば再生専用の光ディスクに収録されている楽曲等のコンテンツのうちユーザ希望部分だけを選択し、任意の順番で再生出力するような用途に適用することができる。
【図面の簡単な説明】
【００７５】
【図１】本発明のＣＤ再生装置の回路構成を示す略線的ブロック図である。
【図２】アドレスプログラム再生の説明に供する略線図である。
【図３】ジャンプ開始点及び再生再開点の登録処理手順を示すフローチャートである。
【図４】アドレスプログラムモードにおけるアドレスプログラム再生処理手順を示すフローチャートである。
【図５】他の実施の形態におけるアドレスプログラム再生の説明に供する略線図である。
【図６】他の実施の形態におけるアドレスプログラムファイルの記述例を示す略線図である。
【図７】従来の繰り返し再生処理の説明に供する略線図である。
【符号の説明】
【００７６】
１……ＣＤ再生装置、２……ＣＤ、３……再生部、４……スピンドルモータ、５……光学ピックアップ、６……二軸デバイス、７……スレッドモータ、８……ＲＦアンプ、９……サーボ回路、１０……ドライバ、１１……データ抽出及びＰＬＬ回路、１２……ＤＳＰ、１３……メモリコントロール回路、１４……ＤＲＡＭ、１５……フラッシュメモリ、１６……ＣＰＵ、１７……ディジタルアナログコンバータ、１８……ミュート回路、１９……ボリューム回路、２０……ヘッドフォンアンプ、２１……ＬＣＤ、２２……
電源回路、２３……キー操作部。
【図１】
2006012279.tif 000003
【図２】
2006012279.tif 000004
【図３】
2006012279.tif 000005
【図４】
2006012279.tif 000006
【図５】
2006012279.tif 000007
【図６】
2006012279.tif 000008
【図７】
2006012279.tif 000009